(57)【要約】【課題】１つの球皿を使用することによっても遊技者にファール球を視認させ、かつ遊技者にファール球が球貯留部に排出される状態を容易に視認させることができる遊技機を提供すること。【解決手段】パチンコ遊技機１は、本体枠２と球皿３とを有している。本体枠２には、遊技球８を払い出す払出装置５と、払出装置５から払い出された遊技球８を球貯留部３１へと導く球払出通路５１と、遊技領域２１０に向けて遊技球８を発射する発射装置４と、発射装置４から発射された遊技球８のうち遊技領域２１０に到達しなかったファール球８１を球貯留部３１へと導くファール球回収通路７とが設けられている。球貯留部３１には、球払出通路５１の先端に形成された球払出口５１１と、ファール球回収通路７の先端に形成されたファール球返却口７２１とが独立して開口している。ファール球返却口７２１は、パチンコ遊技機１における正面に向けて開口している。【選択図】図１
2005118387.tif 000002
【特許請求の範囲】
【請求項１】
遊技盤を配設した本体枠と、該本体枠の前面に配設した球皿とを有し、上記本体枠は、上記球皿に形成された球貯留部に遊技球を払い出す払出装置と、該払出装置から払い出された遊技球を上記球貯留部へと導く球払出通路と、上記遊技盤に形成された遊技領域に向けて遊技球を発射する発射装置と、該発射装置から発射された遊技球のうち上記遊技領域に到達しなかったファール球を上記球貯留部へと導くファール球回収通路とを備えてなり、上記球皿は、上記球貯留部に貯留した遊技球を上記発射装置に供給するよう構成してなる遊技機において、
上記球貯留部には、上記球払出通路の先端に形成された球払出口と、上記ファール球回収通路の先端に形成されたファール球返却口とが独立して開口しており、かつ該ファール球返却口は、上記遊技機における正面に向けて開口していることを特徴とする遊技機。
【請求項２】
請求項１において、上記ファール球回収通路には、上記ファール球返却口から挿入された異物が当該ファール球回収通路の奥に向けて進入することを防止する進入防止部が形成されていることを特徴とする遊技機。
【請求項３】
請求項１又は２において、上記ファール球返却口は、上記球貯留部の底面における上記ファール球返却口の直下に位置する直下部位から、遊技球１個分の高さよりも高い位置において開口していることを特徴とする遊技機。
【請求項４】
請求項１〜３のいずれか一項において、上記発射装置は、上記遊技機の正面から見て、該遊技機の左右方向における中央位置よりも左側に配設されており、上記球貯留部は、上記発射装置における遊技球の発射位置よりもさらに左側の位置まで延長形成されていることを特徴とする遊技機。
【発明の詳細な説明】
【技術分野】
【０００１】
本発明は、パチンコ遊技機、アレンジボール遊技機又はじゃん球遊技機等の遊技機に関し、特に発射装置から発射されて遊技領域に到達されなかったファール球を球皿に回収する構造に関する。
【背景技術】
【０００２】
例えば、パチンコ遊技機においては、遊技者のハンドル操作に応じて、発射装置から遊技盤に形成された遊技領域に遊技球を発射させてパチンコ遊技を行う。そして、遊技領域に設けた役物等に遊技球が入ったときには、パチンコ遊技機の前面に設けた球皿の球貯留部に、賞球として所定数の遊技球を払い出している。
ところで、発射装置から発射された遊技球のほとんどは、上記遊技盤に設けられた案内レールに沿って上記遊技領域まで導かれる一方、発射装置から発射された遊技球の幾つかは、発射装置による勢い（発射強度）が足りないことにより、上記遊技領域まで到達せずにファール球となることがある。
【０００３】
そして、このファール球は、上記賞球による遊技球を上記球皿の球貯留部に払い出すために、この球貯留部に開口する球払出口から払い出している。このようなパチンコ遊技機としては、例えば特許文献１に示すものがある。
しかしながら、上記ファール球を上記賞球による遊技球と同じ球払出口から球貯留部に返却してしまうと、遊技者は、例えば賞球がなされているときにファール球が返却されると、遊技者はファール球が本当に返却されているのか視認することができない。
【０００４】
なお、例えば、特許文献２、３におけるパチンコ遊技機においては、上記球皿を上皿と下皿との２つで構成し、上記賞球による遊技球は上記上皿に払い出す一方、上記ファール球は上記下皿に返却している。この場合には、遊技者は、上記賞球による遊技球とは別に上記ファール球が返却されることを視認することができる。
しかしながら、この場合には、上記球皿を常に上皿と下皿との２つで構成する必要が生じてしまう。また、この場合には、上記ファール球を発射装置から再度発射させる際には、下皿に返却されたファール球を上皿に戻す必要があった。
【０００５】
【特許文献１】特開平１１−００９７７９号公報
【特許文献２】特開２０００−３３１７６号公報
【特許文献３】特開２００１−３３４０５１号公報
【発明の開示】
【発明が解決しようとする課題】
【０００６】
本発明は、かかる従来の問題点に鑑みてなされたもので、１つの球皿を使用することによっても遊技者にファール球を視認させることができ、かつ遊技者にファール球が球貯留部に排出される状態を容易に視認させることができる遊技機を提供しようとするものである。
【課題を解決するための手段】
【０００７】
本発明は、遊技盤を配設した本体枠と、該本体枠の前面に配設した球皿とを有し、上記本体枠は、上記球皿に形成された球貯留部に遊技球を払い出す払出装置と、該払出装置から払い出された遊技球を上記球貯留部へと導く球払出通路と、上記遊技盤に形成された遊技領域に向けて遊技球を発射する発射装置と、該発射装置から発射された遊技球のうち上記遊技領域に到達しなかったファール球を上記球貯留部へと導くファール球回収通路とを備えてなり、上記球皿は、上記球貯留部に貯留した遊技球を上記発射装置に供給するよう構成してなる遊技機において、
上記球貯留部には、上記球払出通路の先端に形成された球払出口と、上記ファール球回収通路の先端に形成されたファール球返却口とが独立して開口しており、かつ該ファール球返却口は、上記遊技機における正面に向けて開口していることを特徴とする遊技機にある（請求項１）。
【０００８】
本発明の遊技機において、パチンコ遊技を行う際には、上記球貯留部に貯留した遊技球を上記発射装置に供給し、この発射装置から１つずつ上記遊技領域に向けて発射する。そして、遊技領域における各種役物等に遊技球が入ると、上記払出装置は、賞球として所定数の遊技球を、上記球払出通路へと払い出す。そして、球払出通路によって払い出された遊技球は、当該球払出通路の先端に形成された球払出口から上記球貯留部へと排出される。
一方で、上記発射装置から発射されて、上記遊技領域に到達しなかったファール球は、下方に落下した後、上記ファール球回収通路へと回収される。そして、ファール球回収通路へと回収された遊技球は、当該ファール球回収通路の先端に形成されたファール球返却口から上記球貯留部へと返却（排出）される。
【０００９】
こうして、本発明の遊技機においては、上記１つの球皿（打球供給皿）に対して、上記賞球による遊技球と上記ファール球との両方が排出されるものの、これらの遊技球が互いに異なる位置から排出される。そのため、パチンコ遊技を行う遊技者に、賞球による遊技球とは別にファール球が返却されていることを視認させることができる。
さらに、上記ファール球返却口は、上記遊技機における正面に開口しており、上記遊技者は、ファール球が球貯留部に排出される状態を容易に視認することができる。
【００１０】
それ故、本発明の遊技機によれば、１つの球皿を使用することによっても遊技者にファール球を視認させることができ、かつ遊技者にファール球が球貯留部に排出される状態を容易に視認させることができる。
【発明を実施するための最良の形態】
【００１１】
上述した本発明の遊技機における好ましい実施の形態につき説明する。
本発明において、上記遊技機における正面とは、遊技機における前面のことをいい、パチンコ遊技を行う遊技者に対向する面のことをいう。そして、上記ファール球返却口は、パチンコ遊技を行う遊技者に対向するよう開口している。
【００１２】
また、上記ファール球回収通路には、上記ファール球返却口から挿入された異物が当該ファール球回収通路の奥に向けて進入することを防止する進入防止部が形成されていることが好ましい（請求項２）。
この場合には、仮にパチンコ遊技を行う遊技者が、悪戯等で上記ファール球返却口に異物を挿入したときであっても、上記進入防止部により、上記異物が上記ファール球回収通路の奥に向けて進入することを防止することができる。これにより、遊技者が、上記ファール球返却口を介して上記遊技領域内に配設された各種役物等を不正に操作することを防止することができる。
【００１３】
また、上記ファール球返却口は、上記球貯留部の底面における上記ファール球返却口の直下に位置する直下部位から、遊技球１個分の高さよりも高い位置において開口していることが好ましい（請求項３）。
この場合には、上記球貯留部におけるファール球返却口の形成位置をできるだけ高い位置に形成して、遊技者に、上記ファール球がファール球返却口から球貯留部に排出される状態を一層容易に視認させることができる。
【００１４】
また、上記発射装置は、上記遊技機の正面から見て、該遊技機の左右方向における中央位置よりも左側に配設されており、上記球貯留部は、上記発射装置における遊技球の発射位置よりもさらに左側の位置まで延長形成されていることが好ましい（請求項４）。
本発明の遊技機においては、上記のごとく上記ファール球返却口が遊技機における正面に開口している。そのため、例えばファール球返却口を上記球皿の一部を使用して形成する必要がない。そのため、この場合のように、上記球貯留部の左右方向の大きさを上記発射装置の上記発射位置よりもさらに左側の位置まで拡大することができる。
また、この場合には、上記球貯留部が拡大した部分に上記ファール球返却口を形成することも可能になるため、設計段階において、ファール球返却口の形成位置の選択幅を広げることができる。
【００１５】
さらに、この場合には、上記ファール球返却口を上記パチンコ遊技機の正面に向けたどの位置に開口させていたとしても、上記球貯留部の拡大により、この球貯留部に遊技球を載置供給することが容易になる。すなわち、この場合には、遊技機の周辺に配設した貸球装置から上記球貯留部に遊技球を載置供給することが容易になり、また、遊技者が、左手を使って運搬用球箱等から球貯留部に遊技球を載置供給することも容易になる。
【実施例】
【００１６】
以下に、図１〜図８を用いて本発明の遊技機にかかる実施例につき説明する。
本例の遊技機はパチンコ遊技機１であり、このパチンコ遊技機１は、図３に示すごとく、遊技盤２１を配設した本体枠２と、この本体枠２の前面に配設した球皿３とを有して構成されている。
上記本体枠２は、図４、図５に示すごとく、所定数の遊技球８を払い出す払出装置５と、この払出装置５から払い出された遊技球８を上記球皿３に形成された球貯留部３１へと導く球払出通路５１と、上記遊技盤２１の前面に形成された遊技領域２１０に向けて遊技球８を発射する発射装置４と、この発射装置４から発射された遊技球８のうち上記遊技領域２１０に到達しなかったファール球８１を上記球貯留部３１へと導くファール球回収通路７とを備えている。また、上記球皿３は、上記球貯留部３１に貯留した遊技球８を上記発射装置４に供給するよう構成されている。
【００１７】
また、図１〜図３に示すごとく、上記球貯留部３１には、上記球払出通路５１における遊技球８の流れの下流側先端に形成された球払出口５１１と、上記ファール球回収通路７におけるファール球８の流れの下流側先端に形成されたファール球返却口７２１とが独立して開口している。さらに、このファール球返却口７２１は、上記パチンコ遊技機１における正面（前面）に向けて開口している。
以下に、これを詳説する。
【００１８】
図３に示すごとく、本例のパチンコ遊技機１は、外枠１０と、この外枠１０に対して開閉可能に配設した上記本体枠２と、この本体枠２の前面に配設され、本体枠２に対して開閉可能に配設されたガラス扉２０とを有している。
また、上記本体枠２の前面には、上記発射装置４における発射強度を調節するための操作ハンドル２４が配設されている。
【００１９】
また、本例の球皿３は、上記球貯留部３１、遊技球８が流下する各種通路及び装飾カバー等を有するユニットとして構成されている。また、本例の本体枠２における前面パネル２５は、上記球貯留部３１の一部を構成している。
そして、本例の球払出口５１１とファール球返却口７２１とは、上記本体枠２における前面パネル２５に形成されている。こうして、球払出口５１１とファール球返却口７２１とは、パチンコ遊技を行う遊技者に対向するよう開口しており、遊技者から視認しやすい位置に開口している。なお、上記ファール球返却口７２１は、上記ファール球８１が上記球貯留部３１に返却される構造であれば、上記前面パネル２５以外に形成されていてもよい。
【００２０】
図１に示すごとく、上記球皿３は、上記遊技球８を貯留する球貯留部３１を有する以外にも、この球貯留部３１から上記発射装置４へ遊技球８を導くための発射球供給通路３２を有している。
また、上記球皿３は、上記球貯留部３１に貯留された遊技球８を上記パチンコ遊技機１の外部（例えば運搬用球箱等へ）へ抜き出すための球抜き通路３５と、上記発射球供給通路３２に残された遊技球８をパチンコ遊技機１の外部（例えば運搬用球箱等へ）に抜き出すための発射球抜出通路３３とを有している。
【００２１】
図１に示すごとく、上記球貯留部３１の底面には、この球貯留部３１内に貯留した遊技球８を上記球抜き通路３５内に流下させるための球流下口３６が設けてあり、この球流下口３６には、第１球抜きシャッター３６１が移動可能に配設されている。そして、この第１球抜きシャッター３６１を移動させて上記球流下口３６を開けることにより、球貯留部３１内の遊技球８を球抜き通路３５内を流下させ、この球抜き通路３５における遊技球８の流れの下流側先端に形成した球抜き口３５１から抜き出すことができる。
【００２２】
また、上記発射球供給通路３２は、上記球貯留部３１内の下方部に開口しており、発射球供給通路３２と発射球抜出通路３３とが連通する連通部３４には、第２球抜きシャッター３４１が移動可能に配設されている。そして、この第２球抜きシャッター３４１を移動させて上記連通部３４を開けることにより、球貯留部３１内及び発射球供給通路３２内の遊技球８を発射球抜出通路３３内を流下させて上記球抜き口３５１から抜き出すことができる。
【００２３】
また、図１に示すごとく、上記本体枠２において、上記発射球供給通路３２と上記発射装置４との間には、発射球供給通路３２から１つずつ遊技球８を発射装置４に供給するための整流器４３が配設されている。
また、上記発射装置４は、遊技球８を打球して上記遊技領域２１０に向けて発射させる打球ハンマー４１と、この打球ハンマー４１を駆動させるロータリソレノイド（図示略）とを有して構成されている。
【００２４】
図４に示すごとく、上記本体枠２に配設された遊技盤２１の前面には、上記発射装置４から発射された遊技球８を上記遊技領域２１０まで案内するための外レール２１１と、この外レール２１１の内側に対向配設され、上記遊技領域２１０の一部を区画形成する内レール２１２とが配設されている。また、上記遊技盤２１の前面には、各種役物（入賞口）２３１、表示パネル２３２等が配設されている。
【００２５】
また、図５に示すごとく、上記本体枠２において、上記払出装置５の上方には、遊技球８を貯留する球タンク６１と、この球タンク６１から流下した遊技球８を整列して上記払出装置５に送るためのタンクレール６２とが配設されている。なお、図５は、パチンコ遊技機１を後方から見た状態で示す図である。
【００２６】
また、図２、図６に示すごとく、上記ファール球回収通路７は、上記遊技領域２１０に到達しなかった上記ファール球８１の落下を受ける落下受部７１と、この落下受部７１に落下した遊技球８を上記ファール球返却口７２１まで導く返却通路７２と、上記発射装置４から発射された遊技球８の飛球方向をガイドする発射ガイド部７３とを有している。
【００２７】
図４に示すごとく、上記落下受部７１は、上記外レール２１１及び内レール２１２の下方位置に形成されている。そして、上記ファール球８１とは、上記外レール２１１と内レール２１２の先端部との間に形成された発射間隙２２を超えて、上記遊技領域２１０内に到達することができなかった遊技球８のことをいう。
また、図６に示すごとく、本例の落下受部７１は、上記発射ガイド部７３の左右方向Ｗの両側に形成されている。
【００２８】
また、図１に示すごとく、上記返却通路７２は、パチンコ遊技機１の左右方向Ｗに向けて形成されており、上記ファール球返却口７２１に向けて下降傾斜して形成されている。
そして、図６に示すごとく、返却通路７２には、ファール球返却口７２１から挿入された異物が当該返却通路７２の奥に向けて進入することを防止する進入防止部７４が形成されている。本例の進入防止部７４は、返却通路７２を形成する側壁７２２に、ファール球返却口７２１から挿入された異物を回収する異物回収ポケット７４１と、この異物回収ポケット７４１に異物を導くための異物回収口７４２とを設けて構成されている。
【００２９】
また、図２、図６に示すごとく、上記返却通路７２は、パチンコ遊技機１の前後方向Ｄに向けて複数回に折れ曲がって形成されている。そして、上記異物回収口７４２は、上記返却通路７２が上記前後方向Ｄに折れ曲がる折曲部７２０の側壁７２２において、上記左右方向Ｗにおけるファール球返却口７２１の形成方向に向けて開口している。
上記進入防止部７４の形成により、仮にパチンコ遊技を行う遊技者が、悪戯等で上記ファール球返却口７２１に異物を挿入したときであっても、この異物が返却通路７２の奥に向けて進入することを防止することができる。これにより、遊技者が、上記ファール球返却口７２１を介して上記遊技領域２１０内に配設された各種役物２３１等を不正に操作することを防止することができる。
【００３０】
なお、上記進入防止部７４は、例えば、上記返却通路７２内にこれを開閉可能に配設され、当該返却通路７２における遊技球８の流れの下流側から上流側に向けて異物が逆流することを防止する逆流防止蓋（図示略）により構成することもできる。
【００３１】
図１、図２に示すごとく、上記球皿３の球貯留部３１は、上記発射球供給通路３２に繋がる発射球供給領域３１１と、パチンコ遊技機１の外部に配設された貸球装置（図示略）又は遊技者によって、遊技球８を載置供給される載置供給領域３１２とを有している。また、発射球供給領域３１１と載置供給領域３１２との間には仕切壁３７が形成されており、載置供給領域３１２は発射球供給領域３１１よりも高い位置に形成されている。
また、上記球払出口５１１及びファール球返却口７２１は、上記球貯留部３１の発射球供給領域３１１において開口している。
【００３２】
本例の球皿３は、本体枠２に対して１つだけ配設された１皿構造を有するものである。これ以外にも、図示は省略するが、上記球皿３は、上皿部とこの上皿部の下方に形成された下皿部との２皿構造を有するものとすることもできる。この場合には、上記上皿部に形成された球貯留部３１に、上記発射装置４へ遊技球８を導くための発射球供給通路３２を形成しておくことができ、上記球払出口５１１及び上記ファール球返却口７２１は、上記上皿部に対して開口させておくことができる。
【００３３】
また、上記２皿構造の球皿においては、ファール球８１が下皿部に排出（返却）されることがないため、ファール球８１を発射装置４から再度発射させる際に、下皿部から上皿部にファール球を戻す必要もなくなる。
なお、上記１皿構造の球皿３及び上記２皿構造の球皿における上皿部は、いずれも上記発射装置４へ遊技球８を導くための発射球供給通路３２を形成するものである。
【００３４】
また、図１に示すごとく、上記ファール球返却口７２１は、上記球貯留部３１の発射球供給領域３１１の底面において、上記ファール球返却口７２１の直下に位置する直下部位Ｑから、遊技球１個分の高さよりも高く、遊技球２個分の高さよりも低い位置において開口している。すなわち、ファール球返却口７２１の下端から上記直下部位Ｑまでの高さをｈ、遊技球８の直径をｄとすると、ファール球返却口７２１の開口位置は、ｄ＜ｈ＜２ｄの関係を満たすよう決定されている。また、本例の球貯留部３１の発射球供給領域３１１の底面は傾斜しており、上記高さｈはファール球返却口７２１の下端から上記直下部位Ｑまでの最短高さとして表される。
【００３５】
なお、上記ファール球返却口７２１の開口位置は、上記直下部位Ｑから、遊技球１個分の高さよりも高く、遊技球３個分の高さよりも低い位置とすることもできる。
ところで、上記球貯留部３１の発射球供給領域３１１に開口するファール球返却口７２１の開口位置は、遊技者によってファール球８１の返却状態が視認しやすいという意味では、できるだけ高い位置にすることが好ましい。一方で、ファール球返却口７２１の開口位置を高くすると、ファール球回収通路７の返却通路７２の左右方向Ｗの傾斜角度をあまり大きくすることができなくなる。
【００３６】
そのため、上記球貯留部３１の発射球供給領域３１１に開口するファール球返却口７２１の開口位置は、上記直下部位Ｑから、遊技球１個分の高さよりも高く、遊技球３個分の高さよりも低い位置とすることが好ましいと考えられる。
ただし、ファール球回収通路７の構造の工夫をして、返却通路７２の左右方向Ｗの傾斜角度を必要なだけ確保できるのであれば、ファール球返却口７２１の開口位置は、上記直下部位Ｑから、遊技球３個分の高さよりも高い位置とすることも可能である。
【００３７】
また、上記ファール球返却口７２１は、上記球貯留部３１の載置供給領域３１２に開口させることもできる。すなわち、上記載置供給領域３１２は、上記球払出口５１１よりも上流側（高い位置）に形成されており、通常は遊技球８が貯留されない領域である。そのため、この場合には、ファール球８１の返却状態の視認が一層容易になる。
また、本例の球払出口５１１は、パチンコ遊技機１の正面から見て上記球貯留部３１における右側の部分、すなわち発射球供給領域３１１に開口している。これに対し、球払出口５１１は、パチンコ遊技機１の正面から見て上記球貯留部３１における左側の部分、すなわち載置球供給領域３１２に開口させることも可能である。
【００３８】
図１、図２に示すごとく、上記球貯留部３１は、上記発射装置４における遊技球８の発射位置Ｐ、すなわち上記打球ハンマー４１の打球位置Ｐよりもさらに上記パチンコ遊技機１における左右方向Ｗの外方まで延長形成されている。
すなわち、本例の発射装置４は、略垂直方向に遊技球８を発射させる略垂直発射方式のものであり、この発射装置４は、上記本体枠２において、パチンコ遊技機１の正面（前方）から見て、パチンコ遊技機１の左右方向Ｗにおける中央位置よりも左側に配設されている。そして、上記球貯留部３１の載置供給領域３１２は、上記打球位置Ｐよりもさらに左側の位置まで延長形成されている。
このように、球貯留部３１の載置供給領域３１２を拡大させたことにより、上記貸球装置又は遊技者からの遊技球８の載置供給が容易になる。
【００３９】
なお、図７、図８に示すごとく、上記球貯留部３１は、上記ファール球回収通路７における落下受部７１の形成位置よりも、さらに上記パチンコ遊技機１における左右方向Ｗの外方まで延長形成することもできる。この場合には、例えば、上記本体枠２に対して上記ガラス扉２０を開けた状態で発射装置４から遊技球８の発射テストを行う際に、上記遊技領域２１０に到達せずに落下するファール球８１が上記ファール球回収通路７における落下受部７１に当たって零れ出した場合でも、この零れ出した遊技球８を球貯留部３１に受け取ることが可能になる。
また、この場合には、球貯留部３１の載置供給領域３１２がより拡大される。そのため、上記貸球装置又は遊技者からの遊技球８の載置供給が一層容易になる。
【００４０】
次に、上記パチンコ遊技機１の動作及び作用効果につき説明する。
上記パチンコ遊技機１において、パチンコ遊技を行う遊技者が操作ハンドル２４を操作すると、上記球貯留部３１に貯留された遊技球８が上記発射装置４から１つずつ上記遊技領域２１０に向けて発射される。
すなわち、図１に示すごとく、この遊技球８の発射の際には、球貯留部３１に貯留された遊技球８が、上記発射球供給通路３２を通って上記整流器４３へと流下する。そして、遊技球８は、整流器４３によって、１つずつ上記発射装置４における打球ハンマー４１の打球位置Ｐに送られ、打球ハンマー４１によって上記遊技領域２１０へと発射される。
【００４１】
このとき、図４に示すごとく、打球ハンマー４１によって打球発射された遊技球８は、上記発射ガイド部７３を経由して、上記外レール２１１と内レール２１２の間を通過し、上記発射間隙２２を超えて上記遊技領域２１０に飛球される。
そして、上記遊技領域２１０に飛球された遊技球８が上記各種役物２３等に入ると、上記払出装置５が作動する。
このとき、図５に示すごとく、払出装置５は、賞球として所定数の遊技球８を、上記タンクレール６２から上記球払出通路５１へと払い出す。これにより、図２に示すごとく、球払出通路５１によって払い出された遊技球８は、当該球払出通路５１の先端に形成された球払出口５１１から上記球貯留部３１へと排出される。
【００４２】
一方で、図４に示すごとく、上記発射装置４から発射されて、上記遊技領域２１０に到達しなかった遊技球８はファール球８１となり、このファール球８１は、上記外レール２１１と内レール２１２との間を通って下方に落下する。そして、図２に示すごとく、ファール球８１は、上記ファール球回収通路７における落下受部７１に落下した後、ファール球回収通路７における返却通路７２へと回収される。これにより、返却通路７２へと回収された遊技球８は、当該返却通路７２の先端に形成されたファール球返却口７２１から上記球貯留部３１へと返却（排出）される。
また、上記払出装置５は、遊技者の支払い代価に応じて、貸球としての所定数の遊技球８を、上記球払出通路５１へと払い出すこともできる。そして、この場合には、上記貸球としての遊技球８は、上記球払出口５１１から上記球貯留部３１へと排出される。
【００４３】
このように、上記パチンコ遊技機１においては、上記１つの球皿３に対して、上記賞球による遊技球８と上記ファール球８１との両方が排出されるものの、これらの遊技球８が互いに異なる位置、すなわち球払出口５１１又はファール球返却口７２１から排出される。そのため、パチンコ遊技を行う遊技者に、賞球による遊技球８とは別にファール球８１が返却されていることを視認させることができる。
【００４４】
さらに、上記ファール球返却口７２１は、上記のごとく上記パチンコ遊技機１における正面に向けて開口しており、かつ上記球貯留部３１の発射球供給領域３１１の底面において、上記ファール球返却口７２１の直下に位置する直下部位Ｑから、遊技球１個分の高さよりも高い位置において開口している。そのため、遊技者は、ファール球８１が球貯留部３１に排出される状態を容易に視認することができる。
【００４５】
また、上記ファール球８１の返却は、パチンコ遊技を開始した直後に行われやすい。そして、このパチンコ遊技を開始した直後においては、上記球貯留部３１の底面に遊技球８が載置されている。また、上記球払出口５１１の下端は、上記球貯留部３１の底面の近傍まで形成されていることがほとんどであり、上記パチンコ遊技を開始した直後において、上記載置された遊技球８が球払出口５１１に対向していることが多い。
そのため、上記ファール球返却口７２１を上記球払出口５１１とは独立して形成した構成、及び上記ファール球返却口７２１の形成位置により、パチンコ遊技を開始した直後において、上記ファール球８１の返却状態の視認が容易である。
【００４６】
また、上記パチンコ遊技機１の正面に向けてファール球返却口７２１を開口させたことにより、上記ファール球回収通路７は、上記球皿３の左右方向における側壁等の一部を使用することなく、上記本体枠２内だけにおいて形成することができる。そのため、ファール球回収通路７の形成が容易である。
また、上記パチンコ遊技機１の正面に向けてファール球返却口７２１を開口させることにより、ファール球返却口７２１は、上記本体枠２における前面パネル２５の広い領域を使用して形成することができる。そのため、パチンコ遊技機１の設計段階において、ファール球返却口７２１の形成位置の選択幅を広くすることができる。
【００４７】
それ故、上記パチンコ遊技機１によれば、１つの球皿３を使用することによっても遊技者にファール球８１を視認させることができ、かつ遊技者にファール球８１が球貯留部３１に排出される状態を容易に視認させることができる。
【図面の簡単な説明】
【００４８】
【図１】実施例における、パチンコ遊技機の要部を前方から見た状態で示す断面説明図。
【図２】実施例における、パチンコ遊技機の要部を上方から見た状態で示す断面説明図。
【図３】実施例における、パチンコ遊技機を示す斜視図。
【図４】実施例における、パチンコ遊技機を前方から見た状態で示す説明図。
【図５】実施例における、パチンコ遊技機を後方から見た状態で示す説明図。
【図６】実施例における、ファール球回収通路を示す斜視図。
【図７】実施例における、球貯留部をさらに左右方向の外方に延長形成した球皿を有するパチンコ遊技機を前方から見た状態で示す断面説明図。
【図８】実施例における、球貯留部をさらに左右方向の外方に延長形成した球皿を有するパチンコ遊技機を上方から見た状態で示す断面説明図。
【符号の説明】
【００４９】
１  パチンコ遊技機
２  本体枠
２１  遊技盤
２１０  遊技領域
３  球皿
３１  球貯留部
３２  発射球供給通路
４  発射装置
５  払出装置
５１  球払出通路
５１１  球払出口
７  ファール球回収通路
７１  落下受部
７２  返却通路
７２１  ファール球返却口
７４  進入防止部
８  遊技球
８１  ファール球
【図１】
2005118387.tif 000003
【図２】
2005118387.tif 000004
【図３】
2005118387.tif 000005
【図４】
2005118387.tif 000006
【図５】
2005118387.tif 000007
【図６】
2005118387.tif 000008
【図７】
2005118387.tif 000009
【図８】
2005118387.tif 000010